【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
通信装置であって、
Ｎｅｉｇｈｂｏｒ  Ａｗａｒｅｎｅｓｓ  Ｎｅｔｗｏｒｋ（ＮＡＮ）に基づく第１の通信を行う第１の通信手段と、
前記第１の通信手段によってＳｅｒｖｉｃｅ  ＩＤとサービス情報との少なくとも一方を含むＮＡＮに関連する第１のＡｔｔｒｉｂｕｔｅを含むＰｕｂｌｉｓｈメッセージを受信した場合に、前記Ｓｅｒｖｉｃｅ  ＩＤの値または前記サービス情報の値が印刷サービスを示しているかを判定することにより１つ以上のプリンタを検索する検索手段と、
前記第１の通信手段を用いた前記検索によって検出された１つ以上のプリンタの少なくとも１つに印刷データを送信するために無線ＬＡＮによる第２の通信を行う第２の通信手段と、
前記第１の通信手段によって前記無線ＬＡＮの接続を確立するために用いられるＢＳＳＩＤを含むＮＡＮに関連する第２のＡｔｔｒｉｂｕｔｅを受信した場合、前記第２の通信手段によって前記ＢＳＳＩＤを宛先としてプローブリクエストを送信し、前記無線ＬＡＮの接続を確立し、かつ、前記第１の通信手段を用いた前記検索によって検出した前記１つ以上のプリンタの少なくとも１つに、前記無線ＬＡＮの接続を介して印刷データを送信するように制御する制御手段と、
を有することを特徴とする通信装置。
【請求項２】
前記制御手段は、前記第２の通信を実行可能な第１の状態と、前記第２の通信を実行可能ではない第２の状態との一方を前記通信装置の状態として設定するように制御し、
前記制御手段は、前記第１の通信手段によって前記１つ以上のプリンタの検索を実行している間には、前記通信装置を前記第２の状態に設定する、
ことを特徴とする請求項１に記載の通信装置。
【請求項３】
前記制御手段は、前記第１の通信手段による前記１つ以上のプリンタの検出に基づいて、前記通信装置を前記第１の状態に設定する、
ことを特徴とする請求項２に記載の通信装置。
【請求項４】
前記第１の通信手段によって検出された前記１つ以上のプリンタのリストを表示する表示手段をさらに有する、
ことを特徴とする請求項１から３のいずれか１項に記載の通信装置。
【請求項５】
前記表示手段は、検出された前記１つ以上のプリンタから送信された前記第１のＡｔｔｒｉｂｕｔｅおよび／または前記第２のＡｔｔｒｉｂｕｔｅに含まれる情報に基づいて、前記リストを表示する、
ことを特徴とする請求項４に記載の通信装置。
【請求項６】
前記表示手段は、前記第１のＡｔｔｒｉｂｕｔｅに含まれる前記サービス情報に含まれる情報を表示する、
ことを特徴とする請求項５に記載の通信装置。
【請求項７】
前記制御手段は、前記第１の通信手段によって、前記印刷サービスのために前記１つ以上のプリンタと、他のサービスのために１つ以上の他の装置を検索し、
前記表示手段は、検出した１つ以上のプリンタと検出した１つ以上の他の装置とを、サービスごとに分けて表示する、
ことを特徴とする請求項４から６のいずれか１項に記載の通信装置。
【請求項８】
前記第２の通信手段によって通信を行った場合に、前記第２の通信を実行する際に用いられた接続設定情報を記憶する記憶手段をさらに有し、
前記制御手段は、前記第１の通信手段によって前記１つ以上のプリンタを検索する前に、前記記憶手段に記憶された前記接続設定情報を用いて前記第２の通信手段による前記無線ＬＡＮの接続を確立するように制御を行う、
ことを特徴とする請求項１から７のいずれか１項に記載の通信装置。
【請求項９】
ユーザによる操作を受け付ける受付手段をさらに有し、
前記制御手段は、プリントサービスに関する所定の操作を受け付けたことに応じて、前記第１の通信手段による前記１つ以上のプリンタの検索を開始する、
ことを特徴とする請求項１から８のいずれか１項に記載の通信装置。
【請求項１０】
前記所定の操作は、前記プリントサービスの開始を示す操作、プリントアプリケーションを起動する操作、前記１つ以上のプリンタの検索を開始するための操作、前記通信装置の電源を投入する操作、または、前記通信装置のスリープ状態からの復帰を行う操作のいずれか１つを含む、
ことを特徴とする請求項９に記載の通信装置。
【請求項１１】
前記制御手段は、前記第１の通信手段を有効化する設定がなされている間に、前記１つ以上のプリンタの検索を行い、前記第１の通信手段を有効化する設定がなされていない間は前記１つ以上のプリンタの検索を行わない、
ことを特徴とする請求項１から１０のいずれか１項に記載の通信装置。
【請求項１２】
前記制御手段は、前記第１のＡｔｔｒｉｂｕｔｅの送信元を示す情報と、前記第２のＡｔｔｒｉｂｕｔｅの送信元を示す情報とが一致した場合に、前記ＢＳＳＩＤを宛先とする前記プローブリクエストを送信するように制御する、
ことを特徴とする請求項１から１１のいずれか１項に記載の通信装置。
【請求項１３】
前記制御手段は、前記プローブリクエストを送信し、かつ、前記検索によって検出した前記１つ以上のプリンタの少なくとも１つから、前記プローブリクエストに対する応答であるプローブレスポンスを受信した場合に、前記プローブレスポンスを送信した前記１つ以上のプリンタの少なくとも１つと、前記無線ＬＡＮの接続を確立するように制御する、
ことを特徴とする請求項１から１２のいずれか１項に記載の通信装置。
【請求項１４】
前記制御手段は、前記第１の通信手段によってプリンタが検出されなかった場合、前記第２の通信手段による通信を行わないように制御する、
ことを特徴とする請求項１から１３のいずれか１項に記載の通信装置。
【請求項１５】
前記第１の通信手段は前記第２の通信手段より低消費電力で動作する、
ことを特徴とする請求項１から１４のいずれか１項に記載の通信装置。
【請求項１６】
前記第１の通信手段と前記第２の通信手段は共にＩＥＥＥ８０２．１１規格シリーズに準拠した無線通信を行う、
ことを特徴とする請求項１から１５のいずれか１項に記載の通信装置。
【請求項１７】
前記第２の通信手段は、前記通信装置と通信相手装置の一方が無線ＬＡＮのアクセスポイントとして動作し、他方が無線ＬＡＮのステーションとして動作することによって通信を行う、
ことを特徴とする請求項１から１６のいずれか１項に記載の通信装置。
【請求項１８】
前記第２の通信手段は、前記通信装置と通信相手装置とが無線ＬＡＮのステーションとして動作し、外部のアクセスポイントに接続することによって通信を行う、
ことを特徴とする請求項１から１６のいずれか１項に記載の通信装置。
【請求項１９】
前記第２の通信手段は、前記通信装置と通信相手装置とがＷｉ−Ｆｉ  Ｄｉｒｅｃｔ規格に基づいて通信を行う、
ことを特徴とする請求項１から１６のいずれか１項に記載の通信装置。
【請求項２０】
前記第２の通信手段は、Ｎｅｉｇｈｂｏｒ  Ａｗａｒｅｎｅｓｓ  Ｎｅｔｗｏｒｋ（ＮＡＮ）におけるＤｉｓｃｏｖｅｒｙ  Ｗｉｎｄｏｗの期間外において通信を行う、
ことを特徴とする請求項１から１６のいずれか１項に記載の通信装置。
【請求項２１】
Ｎｅｉｇｈｂｏｒ  Ａｗａｒｅｎｅｓｓ  Ｎｅｔｗｏｒｋ（ＮＡＮ）に基づく第１の通信を行う第１の通信手段と、無線ＬＡＮによる第２の通信を行う第２の通信手段と、を有する通信装置によって実行される制御方法であって、
前記第１の通信手段によってＳｅｒｖｉｃｅ  ＩＤとサービス情報との少なくとも一方を含むＮＡＮに関連する第１のＡｔｔｒｉｂｕｔｅを含むＰｕｂｌｉｓｈメッセージを受信した場合に、前記Ｓｅｒｖｉｃｅ  ＩＤの値または前記サービス情報の値が印刷サービスを示しているかを判定することにより１つ以上のプリンタを検索する検索工程と、
前記第１の通信手段によって前記無線ＬＡＮの接続を確立するために用いられるＢＳＳＩＤを含むＮＡＮに関連する第２のＡｔｔｒｉｂｕｔｅを受信した場合、前記第２の通信手段によって前記ＢＳＳＩＤを宛先としてプローブリクエストを送信し、前記無線ＬＡＮの接続を確立し、かつ、前記第１の通信手段を用いた前記検索によって検出された１つ以上のプリンタの少なくとも１つに、前記第２の通信手段による前記第２の通信によって、前記無線ＬＡＮの接続を介して印刷データを送信するように制御する制御工程と、
を有することを特徴とする制御方法。
【請求項２２】
コンピュータを、請求項１から２０のいずれか１項に記載の通信装置が有する各手段として機能させるためのプログラム。
【手続補正２】
【補正対象書類名】明細書
【補正対象項目名】０００６
【補正方法】変更
【補正の内容】
【０００６】
本発明の一態様による通信装置は、Ｎｅｉｇｈｂｏｒ  Ａｗａｒｅｎｅｓｓ  Ｎｅｔｗｏｒｋ（ＮＡＮ）に基づく第１の通信を行う第１の通信手段と、前記第１の通信手段によってＳｅｒｖｉｃｅ  ＩＤとサービス情報との少なくとも一方を含むＮＡＮに関連する第１のＡｔｔｒｉｂｕｔｅを含むＰｕｂｌｉｓｈメッセージを受信した場合に、前記Ｓｅｒｖｉｃｅ  ＩＤの値または前記サービス情報の値が印刷サービスを示しているかを判定することにより１つ以上のプリンタを検索する検索手段と、前記第１の通信手段を用いた前記検索によって検出された１つ以上のプリンタの少なくとも１つに印刷データを送信するために無線ＬＡＮによる第２の通信を行う第２の通信手段と、前記第１の通信手段によって前記無線ＬＡＮの接続を確立するために用いられるＢＳＳＩＤを含むＮＡＮに関連する第２のＡｔｔｒｉｂｕｔｅを受信した場合、前記第２の通信手段によって前記ＢＳＳＩＤを宛先としてプローブリクエストを送信し、前記無線ＬＡＮの接続を確立し、かつ、前記第１の通信手段を用いた前記検索によって検出した前記１つ以上のプリンタの少なくとも１つに、前記無線ＬＡＮの接続を介して印刷データを送信するように制御する制御手段と、を有する。